(57)【要約】【課題】戸当たり代を長くできることで、気密・水密性を高め、扉の熱反りによる光漏れを防ぐと共にタイト材の巻き込みを防止できるドアを提供する。【解決手段】本発明にかかるドア１において、戸尻側タイト材２５は硬質樹脂材製の硬質部２９と軟質樹脂材製の軟質部３１とを有し、硬質部２９は、枠５の見付け面に形成したタイト材取付溝１９に嵌め込む溝嵌め込み部３３と、タイト材取付溝１９の溝幅方向の一方側から立ち上がる一方側立上部３７を有し、軟質部３１は、扉３の見付け面１３に当接する一方側当接部３９と、支持部４１とを有し、一方側当接部３９が、一方側立上部３７の先端３７ａ側から一方側立上部３７の立ち上がり方向で且つタイト材取付溝１９の溝幅方向の他方側に向けて傾斜しており、支持部４１は、硬質部２９の他方側から立ち上がっており、扉３を閉じた状態で一方側当接部３９を支持する。【選択図】図１
2015096684.tif 000002
【特許請求の範囲】
【請求項１】
扉と、枠と、タイト材とを備え、タイト材は硬質樹脂材製の硬質部と軟質樹脂材製の軟質部とを有し、硬質部は、枠の見付け面に形成したタイト材取付溝に嵌め込む溝嵌め込み部と、タイト材取付溝の溝幅方向の一方側から立ち上がる一方側立上部を有し、軟質部は、扉の見付け面に当接する一方側当接部と、支持部とを有し、一方側当接部が、一方側立上部の先端側から一方側立上部の立ち上がり方向で且つタイト材取付溝の溝幅方向の他方側に向けて傾斜しており、支持部は、硬質部の他方側から立ち上がっており、扉を閉じた状態で一方側当接部を支持することを特徴とするドア。
【発明の詳細な説明】
【技術分野】
【０００１】
本発明は、ドアに関する。
【背景技術】
【０００２】
特許文献１には、扉で枠に設けたタイト材を押し潰すことにより、扉と枠との間を気密・水密にするドアが開示されている。
【先行技術文献】
【特許文献】
【０００３】
【特許文献１】特許第３０３２１７１号公報
【発明の概要】
【発明が解決しようとする課題】
【０００４】
しかし、特許文献１のタイト材は、戸当たり代が短い為に、扉と枠との間の気密・水密性に劣るという問題があった。特に、扉に熱反りが生じた場合には、タイト材との間に隙間が生じて、枠と扉との間から光が漏れることがあった。
一方、タイト材の戸当たり代を長くすると扉の開閉時にタイト材の戸当たり代が扉に追従して捲れる（巻き込み）が生じるおそれがあった。
【０００５】
そこで、本発明は、戸当たり代を長くできることで、気密・水密性を高め、扉の熱反りによる光漏れを防ぐと共にタイト材の巻き込みを防止できるドアの提供を目的とする。
【課題を解決するための手段】
【０００６】
請求項１に記載の発明は、扉と、枠と、タイト材とを備え、タイト材は硬質樹脂材製の硬質部と軟質樹脂材製の軟質部とを有し、硬質部は、枠の見付け面に形成したタイト材取付溝に嵌め込む溝嵌め込み部と、タイト材取付溝の溝幅方向の一方側から立ち上がる一方側立上部を有し、軟質部は、扉の見付け面に当接する一方側当接部と、支持部とを有し、一方側当接部が、一方側立上部の先端側から一方側立上部の立ち上がり方向で且つタイト材取付溝の溝幅方向の他方側に向けて傾斜しており、支持部は、硬質部の他方側から立ち上がっており、扉を閉じた状態で一方側当接部を支持することを特徴とするドアである。
【発明の効果】
【０００７】
請求項１に記載の発明によれば、硬質の一方側立上部の先端側から戸当たり代となる軟質の一方側当接部を一方側立上部の立ち上がり方向で且つタイト材取付溝の溝幅方向他方側に傾斜してあるので、従来技術よりも戸当たり代を長くでき、扉と枠との間の気密・水密性を高め、扉の熱反りによる光漏れを防ぐことができる。
軟質の一方側当接部を硬質の一方側立上部で支持することで、扉の開閉時に一方側当接部が扉に巻き込まれるのを防止できる。
硬質の一方側立上部によって、その先端側に設けた軟質の一方側当接部に腰を持たせることができ、タイト材がへたり難いと共に、軟質の一方側当接部が柔軟に扉に当接して扉との間の隙間を埋めるので密着性が高い。
【図面の簡単な説明】
【０００８】
【図１】本発明の第１実施の形態にかかるドアであって、扉を閉めた状態の横断面図である。
【図２】図１に示すタイト材の図であって、扉を開いた状態におけるタイト材の横断面図である。
【図３】本発明の第２実施の形態にかかるドアに用いられるタイト材の図であって、扉を開いた状態におけるタイト材の横断面図である。
【図４】本発明の第３実施の形態にかかるドアに用いられるタイト材の図であって、扉を開いた状態におけるタイト材の横断面図である。
【図５】本発明の第４実施の形態にかかるドアであって扉を閉めた状態の横断面図である。
【図６】図５に示すタイト材の図であって、扉を開いた状態におけるタイト材の横断面図である。
【図７】本発明の第５実施の形態にかかるドアに用いられるタイト材の図であって、扉を開いた状態におけるタイト材の横断面図である。
【図８】第１実施の形態の変形例にかかるドアに用いられるタイト材の図であって、扉を開いた状態におけるタイト材の横断面図である。
【発明を実施するための形態】
【０００９】
以下に、添付図面を参照して本発明の実施の形態を説明する。まず、図１及び図２を参照して本発明の第１実施の形態について説明する。
図１に示すように、本実施の形態にかかるドア１は、扉３と、枠５とを備えている。
扉３は、戸尻側部９の上端と下端をピボットヒンジにより回転自在に支持してある。扉３の戸尻側部９は、横断面において室内側を円弧状に湾曲した湾曲面１１と湾曲面１１に連続した平坦な室内側見付け面１３とを有している。
枠５は、断熱枠であり、戸尻側竪枠１５と、戸先側竪枠１７とを有している。戸尻側竪枠９は、内周側見込み面１５ａと、室内側で内周側に突設する室内側見付け面１５ｂとを有し、室内側見付け面１５ｂは閉じた扉３の室内側見付け面１３に対向してある。
戸尻側竪枠１５の室内側見付け面１５ｂには、戸尻側竪枠１５の長手方向に亘って、戸尻側タイト材取付溝（タイト材取付溝）１９が設けてある。
戸先側竪枠１７は、扉３の戸先側部２１で戸先見側込み面２１ａに対向する内周側見込み面１７ａと、扉３の戸先側部２１で室内側見付け面２１ｂに対向する室内側見付け面１７ｂとが設けてあり、室内側見付け面２１ｂには戸先側竪枠１７の長手方向に亘って戸先側タイト材取付溝２３が設けてある。
戸尻側タイト材取付溝１９には戸尻側タイト材（タイト材）２５が取り付けてあり、戸先側タイト材取付溝２３には戸先側タイト材２７が取り付けてある。
【００１０】
次に、本実施の形態にかかる戸尻側タイト材２５について説明する。
図１及び図２に示すように、戸尻側タイト材２５は、硬質樹脂材製の硬質部２９と軟質樹脂材製の軟質部３１とを備えている。硬質樹脂材は、ＥＰＤＭ（エチレン・プロピレン・ジエンゴム）であり、軟質樹脂材はＥＰＤＭの発泡体（スポンジ）である。
硬質部２９は、戸尻側タイト材取付溝１９に嵌め込む溝嵌め込み部３３と、戸尻側タイト材取付溝１９の扉３側に位置する基部３５と、戸尻側タイト材取付溝１９の溝幅方向の一方側（以下、単に「一方側」という）から扉３側へ向けて立ち上がる一方側立上部３７を有している。一方側立上部３７は、基部３５の一方側を凹み状に湾曲し、他方側に向けて傾斜して立ち上げてあり、一方側立上部３７の先端３７ａは戸尻側タイト材取付溝１９の溝幅方向略中央に対応して位置している。
軟質部３１は、扉３の室内側見付け面（見付け面）１３に当接する一方側当接部３９と、支持部４１とを有している。
一方側当接部３９は、一方側立上部３７の先端３７ａから連続して一方側立上部３７の立上方向に立ち上がる軟質立上部３９ｂを有し、軟質立上部３９ｂから一方側立上部３７の立ち上がり方向で且つ戸尻側タイト材取付溝１９の溝幅方向の他方側に向けて傾斜している。
図２に示すように、支持部４１は、基部３５の他方側端３５ａから一方側立上部３７の立ち上がり方向で且つ他方側に向けて傾斜している。支持部４１の傾斜角度Ｒ１は、一方側当接部３９の傾斜角度Ｒ２よりも大きい。また、支持部４１よりも一方側当接部３９の方が長く形成してある。
支持部４１の先端側は一方側当接部３９の中間部３９ａに繋げてあり、基部３５と、一方側立上部３７と、一方側当接部３９と、支持部４１とで囲む空間４３を形成している。
一方側当接部３９において、扉３と反対側の面３９ｃには、一方側立上部３７側で一方側に凹む第１凹部４５が形成してあり、中間部３９ａ側で一方側に凹む第２凹部４７が形成してある。
支持部４１には、一方側当接部３９と反対側の面４１ｂに、第１凹部４５よりも基部３５側で一方側に凹む第３凹部４９が形成してある。
【００１１】
次に、本実施の形態にかかるドア１の作用効果について説明する。
図２に示すように、扉３（図２中一点鎖線で示す）が開いた状態にあるときには、戸尻側タイト材２５では、一方側当接部３９が他方側に傾斜して立上った状態にあり、一方側当接部３９は、扉３の戸尻側部９の湾曲面１１と間隔をあけて対向した位置にある。
扉３が回転して閉じるときには、戸尻側タイト材２５は、扉３の戸尻側部９において、湾曲面１１が徐々に一方側当接部３９に近づいて接触し、一方側当接部３９の中間部３９ａ及び先端側部３９ｄが基部３５側に押し下げられ、第２凹部４７から折れ曲がるように変形する。このとき、一方側当接部３９の先端側部３９ｄは、扉３の湾曲面１１及び室内側見付け面１３に擦すられつつ押し下げられる。
同時に支持部４１も第２凹部４９から他方側へ倒れるように変形する。
そして、図１に示すように、扉３が閉じると、一方側当接部３９の中間部３９ａ及び先端側部３９ｄが扉３との当接面（当接代）となって、室内側見付け面１３に当接する。
このときに、一方側当接部３９の扉３との当接面は第２凹部４７から先端の範囲までの寸法Ｈの当接代で扉３に当接する。
【００１２】
第１実施の形態によれば、戸尻側タイト材２５は、硬質の一方側立上部３７の先端３７ａ側から軟質の一方側当接部３９を一方側立上部３７の立ち上がり方向で且つ他方側に向けて傾斜してあるので、従来技術よりも戸当たり代Ｈを長くでき、気密・水密性を高め、扉の熱反りによる光漏れを防ぐことができる。
軟質の一方側当接部３９は硬質の一方側立上部３７で支持することで、扉３の開閉時に一方側当接部３９が扉３に擦られても、一方側当接部３９が巻き込まれるのを防止できる。
硬質の一方側立上部３７によって、その先端３７ａ側に設けた軟質の一方側当接部３９に腰を持たせることができるから、戸尻側タイト材２５がへたり難いと共に、軟質の一方側当接部３９の中間部３９ａ及び先端側部３９ｄが柔軟に扉３に当接して扉３との間の隙間を埋めるので密着性が高い。
【００１３】
硬質部２９は基部３５を有し、一方側立上部３７は基部３５の一方側から立ち上がっており、支持部４１は基部３５の他方側から立ち上がっており、一方側当接部３９の中間部３９ａに支持部４１の先端が繋がっているので、支持部４１で一方側当接部３９を支えるから、更に扉３の開閉時に一方側当接部３９が巻き込まれ難い。
また、一方側立上部３７は他方側に向けて傾斜しているので、扉３の閉じる時に、一方側当接部３９が扉３に擦られて巻き込まれてようとしたときに、巻き込みを戻す方向の力を作用するので、より一方側当接部３９が巻き込まれ難い。
一方側当接部３９には、第１凹部４５、第２凹部４７を形成すると共に支持部４１にも第３凹部４９を形成して、一方側当接部３９及び支持部４１の変形を容易にしているので、一方側当接部３９と扉３との密着性を高めることができると共に、扉３を閉めるときの扉３への反発力を小さくでき、扉３の閉め操作をソフトにできる。
【００１４】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図３に、本発明の第２実施の形態にかかるドアに用いられている戸尻側タイト材２５を示す。この第２実施の形態にかかる戸尻側タイト材２５は、一方側当接部３９の中間部３９ａに扉３側に突設する突条５１を設けてある。
一方側当接部３９において、突条５１は先端側部３９ｄと鈍角Ｒ３を成して突設している。
支持部４１は基部３５から他方側に傾斜する傾斜角度Ｒ１を第１実施の形態よりも大きくしている。
突条５１の裏面側には、一方側当接部３９と支持部４１とが繋がっている部分で扉側に凹む第４凹部５３が形成してある。第２実施の形態では、戸尻側タイト材２５には、第１凹部４５と第４凹部５３のみが形成してあり、第１実施の形態における第２凹部４７及び第３凹部４９は無い。
この第２実施の形態では、図３に二点鎖線で示すように、扉３を閉じる際には、第１実施の形態と同様に、扉３の湾曲面１１及び室内側見付面１３が一方側当接部３９の先端側部３９ｄ及び突条５１を擦りつつ基部３５側に押し倒し、扉３を閉じた状態では、扉３の室内側見付け面１３に一方側当接部３９の先端側部３９ｄと突条５１に密着する。
【００１５】
第２実施の形態によれば、第１実施の形態と同様の作用効果を奏すると共に、一方側当接部３９では、先端側部３９ｄと突条５１とが扉３の室内側見付け面１３に２箇所で当接するので、密着性を高めることができる。
扉３を閉じたときに支持部４１はほとんど変形しないので、扉３を閉めるときの扉３への反発力を小さくでき、扉３の閉め操作をソフトにできる。
【００１６】
図４を参照して、第３実施の形態を説明する。
この第３実施の形態では、第１実施の形態にかかる戸尻側タイト材２５に対して、支持部４１を基部３５に対して略垂直に立ちあげていると共に一方側当接部３９と支持部４１とが繋がっている部分に他方側に凹む第５凹部４８を形成し、更に、第２実施の形態と同様に一方側当接部３９の中間部３９ａには第４凹部５３を形成している。
この第３実施の形態によれば、第１実施の形態と同様の作用効果を奏すると共に一方側当接部３９では、先端側部３９ｄと中間部３９ａとが扉３の室内側見付け面１３に第４凹部５３から折れ曲がるようにして当接すると共に第５凹部４８により中間部３９ａの変形を容易にしているので、扉３に対する反発力を小さくでき、扉３の閉め操作をソフトにできる。
支持部４１を基部３５に対して略垂直に立ち上げているので、一方側当接部３９の先端側部３９ａが巻き込まれようとしたときに、支持部４１が他方側に傾斜している第１実施の形態と比較して、一方側当接部３９を強く支持して先端側部３９ａの巻き込みを防止できる。
【００１７】
図５及び図６を参照して、第４実施の形態を説明する。第４実施の形態にかかる戸尻側タイト材２５は、硬質部２９が一方側立上部３７に加えて基部３５の他方側から、他方側に傾斜して立ち上がる他方側立上部５５を有している。
また、支持部４１は、他方側立上部５５の先端５５ａから立ち上げてあり、支持部４１の先端４１ａ（図６参照）は一方側当接部３９の中間部３９ａから離れて位置していると共に、支持部４１は扉３側を凸にした湾曲状に形成してある。
更に、軟質部３１には、一方側立上部３７の先端３７ａと他方側立上部５５の先端５５ａを連結する連結部５７が設けてあり、基部３５と、一方側立上部３７と、他方側立上部５５と、連結部５７とで空間５９を形成している。
【００１８】
この第４実施の形態によれば、第１実施の形態と同様の作用効果を奏すると共に、支持部４１は他方側立上部５５の先端５５ａから立ち上げて且つ連結部５７で一方側立上部３７と他方側立上部５５を連結してあるので、支持部４１に腰を持たせることができ、扉３と一方側当接部３９との密着性を更に高めることができる。
支持部４１は、扉３側を凸にした湾曲状に形成してあるので、扉３が閉じたときの一方側当接部３９の反発力を小さくでき、扉３をソフトに閉じることができる。
【００１９】
図７を参照して、第５実施の形態を説明する。この第５実施の形態にかかる戸尻側タイト材２５は、第４実施の形態において、一方側立上部３７の先端３７ａと、他方側立上部５５ａの先端を連結する連結部５７を硬質部２９で構成してある。
また、一方側当接部３９には、第１実施の形態と同様に第１凹部４５と、第２凹部４７を形成すると共に、支持部４１にもその基端側に第６凹部６１を形成している。また、支持部４１は、第６凹部６１の先端側で湾曲する湾曲状に形成している。
【００２０】
この第５実施の形態によれば、第４実施の形態と同様の作用効果を奏すると共に、支持部４１に第６凹部６１を形成していると共に第６凹部６１の先端側を湾曲しているので、扉３を閉じるときに一方側当接部３９を柔軟に支持するから、扉３の閉まりをソフトにできる。
【００２１】
上述した第１〜第３実施の形態は、硬質部２９は溝嵌め込み部３３側に基部３５を有し、一方側立上部３７は基部３５の一方側から立ち上がっており、支持部４１は基部３５の他方側から立ち上がっており、一方側当接部３９の中間部３９ａに支持部４１の先端４１ａが繋がっている。支持部４１が一方側当接部３９に繋がって一方側当接部３９を支えるので、更に一方側当接部３９が扉３に巻き込まれ難い。
第４及び第５実施の形態は、硬質部２９は溝嵌め込み部３３側に基部３５を有し、一方側立上部３７は基部３５の一方側から立ち上がっており、基部３５の他方側から立ち上がる他方側立上部５５を有し、硬質部２９又は軟質部３１で一方側立上部３７の先端３７ａと他方側立上部５５の先端５５ａを連結しており、他方側立上部５５の先端５５ａから支持部４１が他方側に向けて傾斜して立ち上がっており、支持部４１よりも一方側当接部３９の方が長くしてある。硬質の立上部３７、５５を一方側と他方側との両側に設けてあり、それぞれが先端から立ち上げた軟質側部３９、４１を支持すると共に一方側立上部３７と他方側立上部５５の各先端３７ａ、５５ａは連結してあるので、更に支持部４１の腰を強くできるから、扉３と軟質の一方側当接部３９との密着性が、更に高くなる。
第１〜第５実施の形態は、軟質の一方側当接部３９が、一方側立上部３７の立上方向に立ち上がる軟質立上部３９ｂを有し、軟質立上部３９ｂから一方側立上部３７の立ち上がり方向で且つ他方側に向けて傾斜していることで、一方側当接部３９にクッション性を持たせることができ、更に、扉３と枠５との間の気密・水密性を高め、扉３の熱反りによる光漏れを防ぐことができる。
【００２２】
本発明は、上述した実施の形態に限らず、本発明の要旨を逸脱しない範囲で種々変形可能である。
例えば、図８に示すように、第１実施の形態において、一方側当接部３９に軟質立上部３９ｂを設けないで、一方側当接部３９を一方側立上部３７の先端３７ａから一方側立上部３７の立ち上がり方向で且つ他方側に向けて傾斜するようにしても良い。同様に、第２〜第５実施の形態においても、一方側当接部３９に軟質立上部３９ｂを設けないで、一方側当接部３９を一方側立上部３７の先端３７ａから一方側立上部３７の立ち上がり方向で且つ他方側に向けて傾斜するようにしても良い。
戸尻側タイト材２５において、硬質樹脂材はＥＰＤＭに限らず、ＰＶＣ（ポリ塩化ビニル）やＣＲ（クロロプレンゴム）等の他の樹脂材でも良いし、軟質樹脂材は、これらの樹脂材を発泡させたものであっても良く、樹脂材の種類は制限されない。
一方側立上部３７は、他方側に向けて傾斜するときに、湾曲形状にすることに限らず、直線状に傾斜しても良い。
【符号の説明】
【００２３】
１    ドア
３    扉
５    枠
１９  戸尻側タイト材取付溝（取付溝）
２５  戸尻側タイト材（タイト材）
２９  硬質部
３１  軟質部
３３  溝嵌め込み部
３７  一方側立上部
３９  一方側当接部
４１  支持部
【図１】
2015096684.tif 000003
【図２】
2015096684.tif 000004
【図３】
2015096684.tif 000005
【図４】
2015096684.tif 000006
【図５】
2015096684.tif 000007
【図６】
2015096684.tif 000008
【図７】
2015096684.tif 000009
【図８】
2015096684.tif 000010